(57)【特許請求の範囲】
【請求項１】
伝票番号、注文デ−タ及びテ−ブルの卓番号等の伝票情報を表示し、種々の伝票処理を行うＰＯＳ装置において、
前記ＰＯＳ装置にデ−タ表示機能及びタッチ検知機能を有するタッチパネルを設け、
前記タッチパネル上に客が着席したテ−ブルの卓番号に対応して表示窓を表示し、該表示窓に該卓番号及び該伝票番号を表示すると共に、種々の伝票処理の実行を指示するタッチ部を設けて表示し、該テ−ブル又は伝票番号の伝票情報に必要な伝票処理をワンタッチで指示する手段を設けたことを特徴とするＰＯＳ装置。
【発明の詳細な説明】
【０００１】
【発明の属する技術分野】
本発明はレストラン等で使用するＰＯＳ装置に関し、特にタッチパネルを使用することにより操作員の操作を簡単にしたＰＯＳ装置に関するものである。
【０００２】
【従来の技術】
従来、この種のレストラン等で使用されるＰＯＳ装置には、入力装置としてキ−ボ−ド又は入力端末機が設けられている。そして客からの注文データはキ−ボ−ド又は入力端末機を操作して入力され、ＰＯＳ装置は注文入力デ−タから伝票デ−タを作成し表示器へ表示すると共に会計処理等の処理を行い、厨房へ注文された商品（料理）の作成を指示するようになっている。
【０００３】
上記伝票デ−タには伝票番号が付けられ、テ−ブルには卓番号が付けられ、伝票番号（又は卓番号）により伝票デ−タを呼出し追加処理や会計処理ができるようになっている。通常、これらの伝票番号（又は卓番号）の入力はキ−ボ−ド（テンキ−）の操作により行なわれ、処理はファンクションキ−の操作で指示される。
【０００４】
【発明が解決しようとする課題】
しかしながら、上記従来のＰＯＳ装置においては、伝票デ−タを伝票番号（又は卓番号）で指定し、必要な処理をする為にキ−ボ−ドを操作して伝票番号（又は卓番号）を入力し、対応するファンクションキ−を操作（押下）する必要があり、操作員による操作ミスが起き易いという問題がある。また、操作ミスにより誤ったデ−タが入力された時は、エラ−処理が必要となりオペレ−ション効率も悪くなると云う問題があった。
【０００５】
本発明は上述の点に鑑みてなされたもので、上記問題点を除去するためにタッチパネルを使用し、ワンタッチで伝票処理を可能にしたＰＯＳ装置を提供することを目的とする。
【０００６】
【課題を解決するための手段】
上記課題を解決するため本発明は、伝票番号、注文デ−タ及びテ−ブルの卓番号等の伝票情報を表示し、種々の伝票処理を行うＰＯＳ装置において、ＰＯＳ装置にデ−タ表示機能及びタッチ検知機能を有するタッチパネルを設け、タッチパネル上に客が着席したテ−ブルの卓番号に対応して表示窓を表示し、該表示窓に該卓番号及び該伝票番号を表示すると共に、種々の伝票処理の実行を指示するタッチ部を設けて表示し、該テ−ブル又は伝票番号の伝票情報に必要な伝票処理をワンタッチで指示する手段を設けたことを特徴とする。
【０００７】
【発明の実施の形態】
以下、本発明の実施の形態を図面に基づいて詳細に説明する。本実施の形態ではレストラン等に設置されるＰＯＳ装置を例に説明する。図１は本発明の伝票処理方法を実施するＰＯＳ装置を用いる伝票処理システムの構成例を示す図である。図示するように、ＰＯＳ装置１はＣＰＵ（中央処理装置）１−１、メモリ１−２、タッチパネル１−３、キ−ボ−ド１−４、通信部１−５、インタフェ−ス１−６、アンテナ１−７を具備する構成である。
【０００８】
注文デ−タはキ−ボ−ド１−４を操作して入力されるか、又は入力端末機２を操作して、該入力端末機２からアンテナ１−７、通信部１−５を通して入力される。該入力された注文データはメモリ１−２へ格納され、ＣＰＵの処理により伝票データが作成される。該伝票デ−タはインタフェ−ス１−６、コントロ−ラ３を介して厨房に設置された機器（図では省略）へ伝送され、注文（料理）の作成を指示する。この点は従来のレストラン等に設置されているＰＯＳ装置を用いるシステムと同じである。
【０００９】
本発明の特徴はタッチパネル１−３を設けワンタッチで必要な伝票処理を可能にした点にある。図２はタッチパネル１−３の表示画面の例を示す図である。図示するように、タッチパネル１−３に客が着席したテ−ブルの卓番号（又は伝票番号）に対応して表示窓２０１を設け、該当する卓番号２０２及び伝票番号２０３を表示し、呼出し処理を指示するタッチ部２０４、追加処理を指示するタッチ部２０５、会計処理を指示するタッチ部２０６を設けて表示する。
【００１０】
図３は表示窓と伝票デ−タファイル及び処理プログラムとの関連を示す図である。伝票デ−タ一覧ファイルＦ１は客が着席したテ−ブルの卓番号２０２及び、その時発行した伝票の伝票番号２０３を格納するファイルであり、伝票デ−タファイルＦ２は客の注文デ−タ２１０を格納するファイルである。処理プログラムは表示窓２０１のタッチ部に対応して、呼出処理プログラム２０７、追加処理プログラム２０８及び会計処理プログラム２０９が設けられ、該当するタッチ部を指等でタッチすることによりそれに対応するプログラムが起動する。これらのファイルＦ１，Ｆ２及び各プログラム２０７，２０８，２０９はメモリ１−２に格納されている。
【００１１】
以下上記構成のＰＯＳ装置の動作を説明する。客が任意のテーブルに着席し、注文品が決まると操作員は入力端末機２を操作し又はＰＯＳ装置１のキ−ボ−ド１−４を操作して該テーブルの卓番号２０２及び注文デ−タ２１０を入力する。卓番号２０２は伝票デ−タ一覧ファイルＦ１に格納されると同時に対応する伝票番号（通し番号）２０３が発行され格納される。注文デ−タは伝票データファイルＦ２の対応する位置へ格納される。タッチパネル１−３には卓番号２０２に対応して表示窓２０１が設けられ、その中に卓番号２０２及び伝票番号２０３を表示すると共に、種々の処理（図では呼出し処理、追加処理、会計処理）を指示するためのタッチ部２０４，２０５，２０６を設けて表示している。
【００１２】
操作員は必要に応じて指定された伝票番号２０３（又は卓番号２０２）の該当するタッチ部を指でタッチすることにより必要な処理をすることができる。以上の動作はメモリ１−２に格納されている操作プログラムで実行される。
【００１３】
以上述べたように本実施例によればタッチパネル１−３の画面上に客が着席したテ−ブルの卓番号２０２に対応して表示窓２０１を設けて卓番号２０２を表示し、その中に呼出し処理、追加処理、会計処理等の種々の処理を指示するタッチ部２０４，２０５，２０６を設けたので、操作員は一目で所定のテ−ブル（又は伝票）の必要な処理を確認しワンタッチで実行を指示することができる。
【００１４】
【発明の効果】
以上説明したように本発明によれば、ＰＯＳ装置にデ−タ表示機能及びタッチ検知機能を有するタッチパネルを設け、タッチパネル上に客が着席したテ−ブルの卓番号に対応して表示窓を表示し、該表示窓に該卓番号及び該伝票番号を表示すると共に、種々の伝票処理の実行を指示するタッチ部を設けて表示し、該テ−ブル又は伝票番号の伝票情報に必要な伝票処理をワンタッチで指示する手段を設けたので、操作員は全部の伝票を一目で見渡し、ワンタッチで必要な処理を指示することにより操作ミスも少なくなり、オペレ−ション効率もよくなるという優れた効果がえられる。
【図面の簡単な説明】
【図１】本発明のＰＯＳ装置を用いる伝票処理システムの構成例を示す図である。
【図２】タッチパネルの表示画面の例を示す図である。
【図３】表示窓と伝票デ−タファイル及び処理プログラムとの関連を示す図である。
【符号の説明】
１          ＰＯＳ装置
１−１      ＣＰＵ（中央処理装置）
１−２      メモリ
１−３      タッチパネル
１−４      キ−ボ−ド
１−５      通信部
１−６      インタフェ−ス
１−７      アンテナ
２          入力端末機
３          コントロ−ラ
【図１】
0003836555.tif 000002
【図２】
0003836555.tif 000003
【図３】
0003836555.tif 000004